(57)【特許請求の範囲】
【請求項１】
携帯機器のハウジングに設けられた外部端子用開口を塞ぐ携帯機器用キャップであって、前記外部端子用開口に嵌入されるキャップ部と、前記ハウジングに設けられた係止用開口へ取り付けられる係止部と、該係止部の一端部と、前記キャップ部のうち前記係止部の一端部と向かい合う端部とを連結する連結部とからなる携帯機器用キャップにおいて、前記係止部は、係止用開口のうち当該係止用開口と前記外部端子用開口とを結ぶ方向における幅と略等しい幅で前記ハウジング内に突出し、前記係止部の他端部には、ハウジング外のキャップ部方向に引っ張り力が加えられても係止部の外れを防ぐように第１の長さ（Ｌ２）で前記キャップ部側に突出する引っ掛け部と、前記ハウジング外からハウジング内への圧入を可能とする第２の長さ（Ｌ３）で前記キャップ部とは反対側に突出する圧入部とを有し、前記引っ掛け部と前記圧入部とは前記ハウジングの内壁に横架して前記係止用開口へ取り付けられるものであって、前記第１の長さ（Ｌ２）を前記第２の長さ（Ｌ３）よりも長くしたことを特徴とする携帯機器用キャップ。
【請求項２】
ハウジングに設けられた外部端子用開口を塞ぐキャップを備えた携帯機器において、前記キャップは、前記外部端子用開口に嵌入されるキャップ部と、前記ハウジングに設けられた係止用開口へ取り付けられる係止部と、該係止部の一端部と、前記キャップ部のうち前記係止部の一端部と向かい合う端部とを連結する連結部とを有し、前記係止部は、係止用開口のうち当該係止用開口と前記外部端子用開口とを結ぶ方向における幅と略等しい幅で前記ハウジング内に突出し、前記係止部の他端部には、ハウジング外のキャップ部方向に引っ張り力が加えられても係止部の外れを防ぐように第１の長さ（Ｌ２）で前記キャップ部側に突出する引っ掛け部と、前記ハウジング外からハウジング内への圧入を可能とする第２の長さ（Ｌ３）で前記キャップ部とは反対側に突出する圧入部とを備え、前記引っ掛け部と前記圧入部とは前記ハウジングの内壁に横架して前記係止用開口へ取り付けられると共に、前記第１の長さ（Ｌ２）を前記第２の長さ（Ｌ３）よりも長くしてあることを特徴とするキャップを備えた携帯機器。
【発明の詳細な説明】
【０００１】
【産業上の利用分野】
本発明は、携帯電話、ポータブルＣＤプレーヤー、電子スチルカメラ、ビデオカメラ等の携帯機器に設けた信号入出力用コネクター、外部電源供給用端子、オーディオ端子、イヤホンジャック、アンテナジャック等といった外部接続用の端子（以下、外部端子）を配置したハウジングの開口を、外部端子を使用していない状態で塞ぐためにゴムや樹脂で一体成形したキャップの構造に関する。
【０００２】
【従来技術】
従来より、携帯用に小型化された機器には、外部端子の使用時以外は、外部端子を配置したハウジングの開口にゴムや樹脂で一体成形したキャップを嵌めて保護しているものがある。
【０００３】
そして、キャップには機器から完全に取り外すタイプとキャップの一部が機器に固定されて取り外せないようにされたタイプがある。
【０００４】
【発明が解決しようとする課題】
しかしながら、これらの従来技術では、前者の場合はキャップを紛失し易い。後者の場合はキャップを必要以上の力で引っ張ると機器に固定している接続部が剪断されてしまう恐れがあるが、破損等した場合に簡単に交換できない。
【０００５】
【課題を解決するための手段】
本発明は、これらの課題を解決するために、携帯機器のハウジングに設けられた外部端子用開口を塞ぐ携帯機器用キャップであって、前記外部端子用開口に嵌入されるキャップ部と、前記ハウジングに設けられた係止用開口へ取り付けられる係止部と、該係止部の一端部と、前記キャップ部のうち前記係止部の一端部と向かい合う端部とを連結する連結部とからなる携帯機器用キャップにおいて、前記係止部は、係止用開口のうち当該係止用開口と前記外部端子用開口とを結ぶ方向における幅と略等しい幅で前記ハウジング内に突出し、前記係止部の他端部には、ハウジング外のキャップ部方向に引っ張り力が加えられても係止部の外れを防ぐように第１の長さ（Ｌ２）で前記キャップ部側に突出する引っ掛け部と、前記ハウジング外からハウジング内への圧入を可能とする第２の長さ（Ｌ３）で前記キャップ部とは反対側に突出する圧入部とを有し、前記引っ掛け部と前記圧入部とは前記ハウジングの内壁に横架して前記係止用開口へ取り付けられるものであって、前記第１の長さ（Ｌ２）を前記第２の長さ（Ｌ３）よりも長くしたことを特徴とする。
また、ハウジングに設けられた外部端子用開口を塞ぐキャップを備えた携帯機器において、前記キャップは、前記外部端子用開口に嵌入されるキャップ部と、前記ハウジングに設けられた係止用開口へ取り付けられる係止部と、該係止部の一端部と、前記キャップ部のうち前記係止部の一端部と向かい合う端部とを連結する連結部とを有し、前記係止部は、係止用開口のうち当該係止用開口と前記外部端子用開口とを結ぶ方向における幅と略等しい幅で前記ハウジング内に突出し、前記係止部の他端部には、ハウジング外のキャップ部方向に引っ張り力が加えられても係止部の外れを防ぐように第１の長さ（Ｌ２）で前記キャップ部側に突出する引っ掛け部と、前記ハウジング外からハウジング内への圧入を可能とする第２の長さ（Ｌ３）で前記キャップ部とは反対側に突出する圧入部とを備え、前記引っ掛け部と前記圧入部とは前記ハウジングの内壁に横架して前記係止用開口へ取り付けられると共に、前記第１の長さ（Ｌ２）を前記第２の長さ（Ｌ３）よりも長くしてあることを特徴とする。
【０００６】
【実施例】
以下、図を用いて本発明の一実施例を説明する。
図１（ａ）は本発明の一実施例を説明するキャップ裏面側の斜視図、図１（ｂ）はその側面図を示す。キャップは機器の外部端子を保護するキャップ部１に、連結部２、係止部３がゴムで一体成形されたものである。係止部３はキャップ部１の方向に引っ掛け部３ａが、そしてその反対方向に圧入部３ｂが設けられている。キャップ部１は外部端子用に設けられたハウジングの開口に嵌め入れるためその開口と同寸法に形成されている。また、ハウジングには係止部３を固定するための係止用開口が外部端子用開口からＬ１の距離に設けられており、キャップの連結部２は長さＬ１に設定されている。また、係止部３は係止用開口とほぼ同寸法に形成されている。そして、その引っ掛け部３ａは連結部２の長さＬ１以下の長さＬ２にされている（Ｌ１とＬ２の関係を厳密に定義する必要はないが、実際の製品では、Ｌ２≦Ｌ１もしくはＬ１≒Ｌ２（引っ掛け部３ａの先端部をキャップ部１に重なるようにしてもよい）の関係が適当である）。さらに圧入部３ｂは、僅かに長さＬ３（＜Ｌ２）突出させ、ほぼ全長にわたって楔型（圧入を容易にする）にされている。
【０００７】
係止部３は係止用開口に差し込んで嵌める（挿嵌）。すなわちこのキャップの機器への取り付けは、係止用開口にはじめに引っ掛け部３ａを外部端子用開口方向に向けて差し込み、つづいて圧入部３ｂを係止用開口に楔型の傾斜面を係止用開口の縁に抗して押し込んで、係止部３を開口内に嵌め、取り付ける。このとき、係止部３は開口に嵌まり、かつ引っ掛け部３ａと圧入部３ｂはハウジング内壁に横方向に架け渡された状態（横架）になっている。
【０００８】
図２は本発明の機能を説明するための一実施例を示すキャップの係止部３を機器の係止用開口に挿嵌した状態を示す要部断面図で、（ａ）はキャップ部１を外部端子用開口に嵌入した状態、（ｂ），（ｃ）はそれぞれキャップ部１を外部端子用開口から外した状態を示す。なお図において１１は機器のハウジングを、１２は外部端子用開口を、１３は係止用開口、Ａはキャップ部１の取り外し方向（正常な引っ張り方向）、Ｂは取り外しとは関係ない引っ張り方向、Ｃは圧入部３ｂの撓み方向、Ｄは引っ掛け部３ａの撓み方向を示す。
【０００９】
図２（ｂ）の状態で、Ｂ方向にキャップ部１を引っ張ると圧入部３ｂが撓み、Ｂ方向に許容範囲以上の力が加わると係止部３は係止用開口２から抜ける。Ｂ方向はキャップ部１を外部端子用開口１２から取り外した際に力が加わる正常な引っ張り方向ではない。したがって、Ｂ方向を係止部３を開口１３から抜き取り、キャップを機器から完全に取り外すための引っ張り方向にした。そのため、圧入部３ｂはわずかに突出させる程度にし、比較的小さな力で係止部３を開口１３から取り外すことができるようにした。この引っ張りによって、連結部２と係止部３の接続部が延伸等の変形及び剪断等の破損を生ずる前に、係止部３が係止用開口１３から抜ける。
【００１０】
図２（ｃ）の状態からさらにＡ方向にキャップ部１を引っ張ると引っ掛け部３ａが撓み、許容範囲以上の力で係止部３は係止用開口１３から抜ける。Ａ方向は、キャップ部１を外部端子用開口１２から取り外した際に力が加わる正常な引っ張り方向であるから、キャップ部１がＡ方向に引っ張られた際、簡単に係止部３が係止用開口１３から外れることのないように、引っ掛け部３ａは多少長めに設定している。さらに、この設定は、引っ張りによって、連結部２と係止部３の接続部が延伸等の変形及び剪断等の破損を生ずる前に、係止部３が係止用開口１３から抜けるようにされている。
【００１１】
【発明の効果】
以上のように本発明の構造によれば、通常の使用ではキャップが機器から簡単に抜けることがなく、紛失する恐れがない。また、キャップを許容範囲以上の力で引っ張った場合には、キャップに変形や破損が生じる前に、機器からキャップが完全に外れる。しかも機器への取り付けが極めて簡単なので容易に再使用することができる。また、通常の使用ではキャップが簡単に抜けることはないが、特定の方向に引っ張ることにより比較的簡単にキャップを抜くことができるので、引っ張り以外の要因等、何らかの原因で万一キャップに破損等が生じた場合は、簡単にキャップの交換ができる。
【図面の簡単な説明】
【図１】（ａ）は本発明の一実施例を示すキャップ裏面側の斜視図、（ｂ）は本発明の一実施例を示すキャップの側面図。
【図２】本発明の機能を説明するための一実施例を示すキャップの係止部を機器の係止用開口に挿嵌した状態を示す要部断面図で、（ａ）はキャップ部を外部端子用開口に嵌入した状態、（ｂ），（ｃ）はそれぞれキャップ部を外部端子用開口から外した状態を示す。
【符号の説明】
１：キャップ部
２：連結部
３：係止部
３ａ：引っ掛け部
３ｂ：圧入部
１１：ハウジング
１２：外部端子用開口
１３：係止用開口
【図１】
0003766451.tif 000002
【図２】
0003766451.tif 000003